(57)【要約】【課題】趣向性が高く、遊技者の遊技に対する興味を長期間に亘って高く保持することが可能な遊技機を提供する。【解決手段】パチンコ機１は、図柄制御基板２２の下方に、図柄制御基板２２と発光制御基板２３と効果音制御基板２４とを統合して制御するためのサブ統合基板４３が設置されており、そのサブ統合基板４３に、ディップスイッチ４４が設けられている。そして、そのディップスイッチ４４によって、図柄表示装置８による「大当たり装飾図柄」の表示方式を、「特定大当たり」が生起した場合に「特定大当たり装飾図柄」のみを表示する第一表示方式と、「特定大当たり」が生起した場合に「特定大当たり装飾図柄」あるいは「非特定大当たり装飾図柄」を表示する第二表示方式とに切り替えることができるようになっている。【選択図】図２
2004313329.tif 000002
【特許請求の範囲】
【請求項１】
遊技領域内に、遊技球が入賞可能な図柄始動口と、複数の装飾図柄および複数の特別図柄を表示可能な図柄表示装置とが設けられているとともに、作動内容を制御する作動制御装置が内蔵されており、
遊技領域に打ち出された遊技球が図柄始動口に入賞した場合に、図柄表示装置に表示された装飾図柄および特別図柄を所定の時間だけ変動させる一方、作動制御装置内で抽選を実行し、その抽選の結果、大当たりが生起した場合には、予め定められた所定の装飾図柄である大当たり装飾図柄を図柄表示装置に表示し、かつ、前記所定の装飾図柄とは別個に、予め定められた所定の特別図柄である大当たり特別図柄を図柄表示装置に表示した後に、所定の入賞装置を所定の回数だけ断続的に開成させる特別遊技状態を生起させるとともに、
前記抽選の結果、特定の大当たりが生起した場合には、特別遊技状態を生起させた後に、大当たりの生起確率を増加させる第一特定遊技状態を生起させる遊技機であって、
図柄表示装置による大当たり装飾図柄の表示方式を、
特定の大当たりが生起した場合に予め定められた特定の大当たり装飾図柄のみを表示する第一表示方式と、特定の大当たりが生起した場合に前記特定の大当たり装飾図柄あるいは特定の大当たり装飾図柄以外の大当たり装飾図柄を表示する第二表示方式とに切り替える切替手段を設けたことを特徴とする遊技機。
【請求項２】
抽選の結果、大当たりが生起した場合に、所定の回数だけ特別図柄が変動するまで図柄表示装置における装飾図柄の変動時間を短縮する第二特定遊技状態を生起させることを特徴とする請求項１に記載の遊技機。
【請求項３】
抽選の結果、特定の大当たり以外の大当たりが生起した場合にのみ、所定の回数だけ装飾図柄が変動するまで図柄表示装置における装飾図柄の変動時間を短縮する第二特定遊技状態を生起させることを特徴とする請求項１、または請求項２に記載の遊技機。
【請求項４】
図柄表示装置の作動を制御する図柄制御基板と作動制御基板とを統合して制御する統合基板が設けられているとともに、
その統合基板に切替手段が設けられていることを特徴とする請求項１〜３のいずれかに記載の遊技機。
【発明の詳細な説明】
【０００１】
【発明の属する技術分野】
本発明は、パチンコ機、スロットマシーン等の遊技機に関するものである。
【０００２】
【従来の技術】
遊技機の一種であるパチンコ機として、いわゆる図柄合わせタイプのパチンコ機が知られている。かかる図柄合わせタイプのパチンコ機としては、図柄始動口に遊技球が入賞した場合に、内部の制御装置において「抽選」を実行するとともに、図柄表示装置に表示された図柄を所定時間だけ変動させ、「抽選」の結果、「大当たり」が生起した場合には、予め設定された「大当たり図柄」（たとえば、「１，１，１」）を図柄表示装置に表示するとともに、「大当たり状態」を生起させて、大入賞口をきわめて高い確率で所定回数だけ断続的に開成させるものが知られている。また、図柄合わせタイプのパチンコ機の中には、「抽選」の結果、特定の「大当たり」が生起した場合には、予め設定された「特定大当たり図柄」（たとえば、「７，７，７」）を表示するとともに、「大当たり状態」を生起させた後に「高確率状態」を生起させて、図柄の変動時間を短くする等により単位時間当たりの遊技球の消費量を低減するとともに、一定時間当たりの「大当たり」の生起確率を増大させるものもある（たとえば、特許文献１）。
【０００３】
【特許文献１】
特開２０００−３３９０１２号公報
【０００４】
【発明が解決しようとする課題】
しかしながら、上記従来の図柄合わせタイプのパチンコ機は、予め設定された「特定大当たり図柄」以外の「大当たり図柄」が図柄表示装置に表示された場合には、遊技者が、直ちに、特定の「大当たり」以外の「大当たり」が生起したこと、すなわち、「高確率状態」が生起しないことを認識してしまうため、遊技内容に新鮮味がなく、遊技者に飽きられ易い、という欠点があった。
【０００５】
本発明の目的は、上記従来の図柄合わせタイプのパチンコ機が有する課題を解消し、遊技内容が斬新で趣向性が高く、遊技者がいつまでも興味を持って遊技することが可能な遊技機を提供することにある。
【０００６】
【課題を解決するための手段】
かかる本発明の構成のうち、請求項１に記載された発明の構成は、遊技領域内に、遊技球が入賞可能な図柄始動口と、複数の装飾図柄および複数の特別図柄を表示可能な図柄表示装置とが設けられているとともに、作動内容を制御する作動制御装置が内蔵されており、遊技領域に打ち出された遊技球が図柄始動口に入賞した場合に、図柄表示装置に表示された装飾図柄および特別図柄を所定の時間だけ変動させる一方、作動制御装置内で抽選を実行し、その抽選の結果、大当たりが生起した場合には、予め定められた所定の装飾図柄である大当たり装飾図柄を図柄表示装置に表示し、かつ、前記所定の装飾図柄とは別個に、予め定められた所定の特別図柄である大当たり特別図柄を図柄表示装置に表示した後に、所定の入賞装置を所定の回数だけ断続的に開成させる特別遊技状態を生起させるとともに、前記抽選の結果、特定の大当たりが生起した場合には、特別遊技状態を生起させた後に、大当たりの生起確率を増加させる第一特定遊技状態を生起させる遊技機であって、図柄表示装置による大当たり装飾図柄の表示方式を、特定の大当たりが生起した場合に予め定められた特定の大当たり装飾図柄のみを表示する第一表示方式と、特定の大当たりが生起した場合に前記特定の大当たり装飾図柄あるいは特定の大当たり装飾図柄以外の大当たり装飾図柄を表示する第二表示方式とに切り替える切替手段を設けたことにある。
【０００７】
請求項２に記載された発明の構成は、請求項１に記載された発明において、抽選の結果、大当たりが生起した場合に、所定の回数だけ特別図柄が変動するまで図柄表示装置における装飾図柄の変動時間を短縮する第二特定遊技状態を生起させることにある。
【０００８】
請求項３に記載された発明の構成は、請求項１、または請求項２に記載された発明において、抽選の結果、特定の大当たり以外の大当たりが生起した場合にのみ、所定の回数だけ装飾図柄が変動するまで図柄表示装置における装飾図柄の変動時間を短縮する第二特定遊技状態を生起させることにある。
【０００９】
請求項４に記載された発明の構成は、請求項１〜３のいずれかに記載された発明において、図柄表示装置の作動を制御する図柄制御基板と作動制御基板とを統合して制御する統合基板が設けられているとともに、その統合基板に切替手段が設けられていることにある。
【００１０】
【発明の実施の形態】
以下、本発明の遊技機の一実施形態であるパチンコ機について、図面に基づき、次の目次の順序にしたがって、詳細に説明する。
（１）実施例のパチンコ機の構造
（２）実施例のパチンコ機の制御機構
（３）実施例のパチンコ機の作動内容
（４）実施例のパチンコ機の特徴部分の説明
（５）実施例のパチンコ機の効果
（６）本発明の変更例の説明
【００１１】
（１）実施例のパチンコ機の構造
図１は、本発明にかかるパチンコ機１の正面を示したものであり、パチンコ機１の正面の中央よりやや上方には略円形の遊技領域２が設けられている。一方、遊技領域２の下方には、供給皿３と貯留皿４とが、上下に連設されており、貯留皿４の上方には、スピーカ５が設置されている。さらに、貯留皿４の右側には、遊技領域２に遊技球を発射するための発射ハンドル６が突設されている。
【００１２】
また、遊技領域２の中央上部には、図柄表示装置８が設けられている。図柄表示装置８は、液晶板によって形成された液晶画面を有しており、その液晶画面の左表示部位１０、右表示部位１１、中表示部位１２の各表示部位に、一桁の数字や一文字のアルファベット等（たとえば、「０」〜「９」、「Ａ」〜「Ｅ」）の所定種類の「装飾図柄」（いわゆるデモ図柄）を表示することができるようになっている。さらに、図柄表示装置８は、液晶画面の左右の下方に、数字および種々のカラーのマークからなる所定種類の「特別図柄」を、「装飾図柄」に比べてきわめて小さく（たとえば、面積比が１／５０となるように）表示することができるようになっている。
【００１３】
さらに、図柄表示装置８の上側には、７セグメントのＬＥＤ板によって形成された時短表示器５１が設けられており、ＬＥＤ板に、一桁の数字を表示することができるようになっている。また、時短表示器５１の右側には、７セグメントのＬＥＤ板によって形成された普通図柄表示器１７が設けられており、ＬＥＤ板に、一桁の数字や記号等の所定種類の「普通図柄」を表示することができるようになっている。一方、図柄表示装置８の下方には、図柄始動口である普通電動役物１３が設けられており、上部の扉部材９，９が開閉するようになっている。また、普通電動役物１３の左右には、それぞれ、左ゲート１４、右ゲート１５が設けられており、普通電動役物１３の下側には、扉が前方へ開閉する形状の大入賞口１６（入賞装置）が設置されている。なお、図柄表示装置８の下側には、「装飾図柄」および「特別図柄」の変動中における普通電動役物１３への入賞を記憶するメモリーランプ１８，１８・・が設けられている。また、遊技領域２には、上記部材の他に、サイドランプ１９，１９、電飾ランプ２０，２０・・、種々の入賞口、風車、および多数の障害釘等が設けられている。加えて、普通電動役物１３等の各入賞装置の内部には、遊技球の入賞を検出する入賞検出装置が設けられている。
【００１４】
一方、図２は、パチンコ機１の背面を示したものであり、パチンコ機１の中央よりやや下側には、パチンコ機１の作動内容を制御するメイン制御基板２１（作動制御装置）が設置されている。また、メイン制御基板２１の上方には、図柄表示装置８の表示内容を制御するための図柄制御基板２２が設置されている。さらに、メイン制御基板２１の右側には、遊技領域２に設置されたサイドランプ１９，１９や電飾ランプ２０，２０・・等の発光部材の発光を制御するための発光制御基板２３、発生させる効果音の内容を制御するための効果音制御基板２４が設けられている。また、図柄制御基板２２の下方には、図柄制御基板２２と発光制御基板２３と効果音制御基板２４とを統合して制御するためのサブ統合基板４３（統合基板）が設置されている。そして、サブ統合基板４３には、後述する「大当たり装飾図柄」の表示方式を切り替える切替手段であるディップスイッチ４４が設けられている。加えて、発光制御基板２３、効果音制御基板２４の上方には、賞品球や貸球を払い出すための遊技球払出装置２５が設置されている。
【００１５】
（２）実施例のパチンコ機の制御機構
また、図３は、パチンコ機１の制御機構を示したものである。メイン制御基板２１は、メインＣＰＵ２６、ＲＯＭ２７やＲＡＭ３１等の記憶手段、タイマ４１等を有しており、メインＣＰＵ２６が、インターフェイス２８を介して、普通電動役物１３等の入賞装置への入賞を検出するための各入賞検出装置２９，２９・・、大入賞口１６等の可動式入賞装置を作動させるための各作動装置３０，３０、遊技球払出装置２５等と接続されている。また、メイン制御基板２１は、サブ統合基板４３を介して、図柄制御基板２２、作動制御基板である発光制御基板２３および効果音制御基板２４と接続されている。
【００１６】
また、メイン制御基板２１には、図４の如く、普通図柄の「当たり」を決定するａカウンタ、普通図柄の「はずれ図柄」を決定するｂカウンタ、「大当たり」の生起を決定するための乱数発生手段であるｃカウンタ（大当たり決定カウンタ）、大当たり決定カウンタの初期値を選択するｄカウンタ、「抽選」において「はずれ」となった場合に図柄表示装置８に最終的に表示する「特別図柄」である「確定表示特別図柄」を決定するｅ，ｆカウンタ、生起した「大当たり」を「特定大当たり」とするか「非特定大当たり」とするかを決定するｈカウンタ（大当たり種別決定カウンタ）、図柄表示装置８の液晶画面において「装飾図柄」を変動表示する際の「基本的な変動態様」（すなわち、図柄変動を継続する時間やリーチ動作の有無等）を決定するｇカウンタ、「非特定大当たり」が生起した場合に図柄表示装置８の液晶画面に表示する「特別図柄」を決定するｐ，ｑカウンタ、「特定大当たり」が生起した場合に図柄表示装置８の液晶画面に表示する「特別図柄」を決定するｒ，ｓカウンタ等のループカウンタが内蔵されている。
【００１７】
各ループカウンタは、電源投入時から所定の規則に従って所定の数値の間をごく短時間（１割込２．０００ｍｓ）のうちに１ずつ加算しながらループカウントする（最大値の次には最小値に戻る）ようになっており、ａカウンタは、０〜９９（１００通り）の間を、ｂカウンタは、０，１（２通り）の間を、ｃカウンタおよびｄカウンタは、０〜７００（７０１通り）の間をループカウントするようになっている。また、パチンコ機は、１割込のうちに、メインプログラムを一通り実行するようになっているが、ｄカウンタは、１割込の時間とメインプログラムの実行に要する時間との差（残余時間）の間に、１ずつ加算しながらループカウントする（最大値の次には最小値に戻る）ようになっている。そして、ｃカウンタは、０〜７００の間を一回りループカウントした後には、次回のループカウントを、一回りループカウントした時点におけるｄカウンタの数値からから実行するようになっている。
【００１８】
一方、ｅ，ｆカウンタは、０〜７（８通り）の間を、それぞれループカウントするようになっており、ｇカウンタは、０〜１９９（２００通り）の間を、ループカウントするようになっている。また、ｐ〜ｓカウンタは、０〜７（８通り）の間を、それぞれループカウントするようになっている。
【００１９】
加えて、メイン制御基板２１には、「特別図柄」の変動回数を積算計数するｉカウンタが内蔵されている。ｉカウンタは、「大当たり状態」が終了した後に、「特別図柄」が変動する毎に積算計数を実行するようになっている。また、ｉカウンタの積算数値は、ＲＡＭ３１に記憶され、再度、「大当たり状態」が生起した時点で、“０”にリセットされるようになっている。
【００２０】
さらに、メイン制御基板２１のＲＯＭ２７には、図５の如きｂカウンタの数値に対応した「はずれ図柄」、図６の如きｅ，ｆカウンタの数値に対応した「特別図柄」（最終的に各表示部位１０〜１２に表示する特別図柄、以下、「確定表示特別図柄」という）」、図７の如きｐ，ｑカウンタの数値に対応した「特別図柄」（「確定表示特別図柄」）、図８の如きｒ，ｓカウンタの数値に対応した「特別図柄」（「確定表示特別図柄」）」等が記憶されている。また、ＲＯＭ２７には、図９の如きｇカウンタの数値に対応した「基本的な変動態様」（「第１〜第６４基本変動パターン」）等が記憶されている。
【００２１】
一方、図３の如く、サブ統合基板４３は、ＣＰＵ４５、ＲＯＭ４８やＲＡＭ４９等の記憶手段等を有しており、ＣＰＵ４５が、インターフェイス４７を介して、ディップスイッチ４４、メイン制御基板２１のメインＣＰＵ２６、図柄制御基板２２の図柄表示ＣＰＵ３２、発光制御基板２３の発光ＣＰＵ３５、効果音制御基板２４の効果音ＣＰＵ３８と接続されている。
【００２２】
また、サブ統合基板４３には、図１０の如く、図柄表示装置８の各表示部位１０〜１２に最終的に表示する「装飾図柄」（以下、「確定表示装飾図柄」という）を決定するｊ，ｋ，ｌカウンタ、図柄表示装置８の液晶画面において「装飾図柄」を変動表示する際の「詳細な変動態様」（すなわち、図柄変動を二段階変動とする際における二段階目の変動に切り替えるタイミング等）を決定するｍカウンタ等のループカウンタが内蔵されている。
【００２３】
各ループカウンタは、電源投入時から所定の規則に従って所定の数値の間をごく短時間（１割込２．０００ｍｓ）のうちに１ずつ加算しながらループカウントする（最大値の次には最小値に戻る）ようになっており、ｍカウンタは、０〜４（５通り）の間を、ｊカウンタは、０〜１４（１５通り）の間をループカウントするようになっている。また、ｋカウンタは、０〜１４（１５通り）の間を、ｊカウンタの数値が１４から０になる毎に（すなわち、１５割込のうちに）１ずつ加算しながらループカウントするようになっている。さらに、ｌカウンタは、０〜１４（１５通り）の間を、ｋカウンタが１４から０になる毎に（すなわち、２２５割込のうちに）１ずつ加算しながらループカウントするようになっている。
【００２４】
また、サブ統合基板４３のＲＯＭ４８には、ｊ，ｋ，ｌカウンタの数値に対応した「装飾図柄」（「確定表示装飾図柄」）として、図１１の如く、「Ａテーブル」と「Ｂテーブル」との２種類のものが記憶されている。また、ＲＯＭ４８には、図１２の如きｍカウンタの数値に対応した「詳細な変動態様」（第１〜第５詳細変動パターン）等が記憶されている。
【００２５】
一方、図柄制御基板２２は、図３の如く、図柄表示ＣＰＵ３２、ＲＯＭやＲＡＭ等の記憶手段３３等を有している。そして、図柄表示ＣＰＵ３２が、インターフェイス３４を介して、図柄表示装置８、サブ統合基板４３のＣＰＵ４５等と接続されている。
【００２６】
また、発光制御基板２３は、発光ＣＰＵ３５、ＲＯＭやＲＡＭ等の記憶手段３６等を有している。そして、発光ＣＰＵ３５が、インターフェイス３７を介して、サイドランプ１９，１９、電飾ランプ２０，２０・・等の発光部材、サブ統合基板４３のＣＰＵ４５等と接続されている。
【００２７】
加えて、効果音制御基板２４は、効果音ＣＰＵ３８、ＲＯＭやＲＡＭ等の記憶手段３９等を有している。そして、効果音ＣＰＵ３８が、インターフェイス４０を介して、スピーカ５、サブ統合基板４３のＣＰＵ４５等と接続されている。
【００２８】
（３）実施例のパチンコ機の作動内容
以下、パチンコ機１の作動内容について説明する。遊技者等によって発射ハンドル６が回動操作された場合には、発射装置（図示せず）によって、遊技球が遊技領域２に打ち込まれる。打ち込まれた遊技球が各種入賞口に入賞した場合（たとえば、遊技球が普通電動役物１３の上側の開口部から内部へ入り込んだ場合）には、賞品球として、所定数の遊技球が、遊技球払出装置２５によって払い出される。また、遊技領域２に打ち込まれた遊技球が、左ゲート１４、右ゲート１５を通過した場合には、普通図柄表示器１７に表示された「普通図柄」が変動を開始し、それと同時に、通過した瞬間に、ａカウンタが、ループカウントしている数値の中から１つの数値を取得する（乱数を取得する）。さらに、取得された数値が何であるか判断され、その数値が所定の１０通りの数値であると判断された場合には「当たり」となり、その他の場合（９０通り）には「はずれ」となる（以下、かかる「当たり」か否かの判断を「当たり判定」という）。
【００２９】
「当たり」と判断された場合には、「普通図柄」の変動開始から所定の時間（たとえば、約２９秒）後に、普通図柄表示器１７に所定の「当たり図柄」（たとえば、「７」）が表示されるとともに、普通電動役物１３が所定時間（たとえば、約０．５秒間）開成する（扉部材９，９の上端が離反する）。なお、普通電動役物１３は、閉成時においても、開成時に比べて低い確率ではあるが、遊技球が入賞可能になっている。また、「はずれ」と判断された場合には、ｂカウンタが取得した数値に対応した「はずれ図柄」（図５参照）が、新たな「普通図柄」として、「普通図柄」の変動開始から所定の時間後に、普通図柄表示器１７に表示される。「普通図柄」の変動中や普通電動役物１３の開成中に遊技球が左ゲート１４、右ゲート１５を通過したときは、次回以降に「普通図柄」を変動させる変動記憶として所定の個数（たとえば、４個）まで記憶される。
【００３０】
そして、開成中あるいは閉成中の普通電動役物１３に遊技球が入賞した場合には、その入賞が普通電動役物１３に内蔵された入賞検出装置２９によって検出され、メイン制御基板２１に入賞検出信号が送信される。メイン制御基板２１に入賞検出信号が送信されると、ｃ〜ｈカウンタおよびｐ〜ｓカウンタが、それぞれ、ループカウントしている数値の中から１つの数値を取得する（乱数を取得する）。なお、ｃ〜ｈカウンタおよびｐ〜ｓカウンタによる数値の取得を「抽選」という。しかる後に、それらの取得した数値を、記憶手段であるＲＡＭ３１に一時的に記憶させる。
【００３１】
そして、「抽選」において、ｃカウンタが所定の「大当たり乱数」（たとえば、“７”あるいは“３５７”）を取得した場合には、「大当たり」が生起し、「大当たり乱数」以外の数値を取得した場合には、「はずれ」となる。したがって、１回の「抽選」における「大当たり」の生起確率は、２／７０１である。さらに、「抽選」においてｃカウンタが所定の「大当たり乱数」を取得し、かつ、ｈカウンタが所定の「特定乱数」（たとえば、“１”）を取得した場合には、特定の「大当たり」、すなわち、「特定大当たり」が生起する。また、「抽選」においてｃカウンタが所定の「大当たり数値」を取得したが、ｈカウンタが「特定乱数」と異なる「非特定乱数」を取得した場合には、「特定大当たり」とは異なる「非特定大当たり」が生起する。したがって、生起した「大当たり」が「特定大当たり」となる確率は、１／２である。
【００３２】
そして、「抽選」の結果、「非特定大当たり」が生起した場合には、「抽選」におけるｐ，ｑカウンタの取得数値に対応した「特別図柄」（図７参照）が、ＲＯＭ２７から呼び出される。したがって、「抽選」の結果、「非特定大当たり」が生起した場合には、「特別図柄」として、「３」あるいは「７」と様々な色の丸のマークとの組み合わせが、ＲＯＭ２７から呼び出される（図７参照）。また、「抽選」の結果、「特定大当たり」が生起した場合には、「抽選」におけるｒ，ｓカウンタの取得数値に対応した「特別図柄」（図８参照）が、ＲＯＭ２７から呼び出される。したがって、「抽選」の結果、「特定大当たり」が生起した場合には、「特別図柄」として、「３」あるいは「７」と「赤丸」あるいは「青丸」との組み合わせが、ＲＯＭ２７から呼び出される（図７参照）。
【００３３】
一方、「抽選」の結果、「はずれ」となった場合には、「抽選」におけるｅ，ｆカウンタの取得数値に対応した「特別図柄」（図６参照）が、ＲＯＭ２７から呼び出される。したがって、「抽選」の結果、「はずれ」となった場合には、「特別図柄」として、「３」および「７」以外の数字の図柄と様々な色の丸のマークとの組み合わせが、ＲＯＭ２７から呼び出される（図６参照）。
【００３４】
そして、「抽選」の結果、「非特定大当たり」あるいは「特定大当たり」が生起した場合、「はずれ」となった場合とも、「抽選」におけるｇカウンタの取得数値に対応した「基本的な変動態様」（「第１〜第６４基本変動パターン」のいずれか、図９参照）が、ＲＯＭ２７から呼び出される。しかる後に、その呼び出された「特別図柄」、「基本的な変動態様」の内容を含めた「一次コマンド」が、メイン制御基板２１からサブ統合基板４３へ送信される。
【００３５】
サブ統合基板４３は、「一次コマンド」を受信すると、その「一次コマンド」に含まれた「特別図柄」の内容によって、「非特定大当たり」あるいは「特定大当たり」が生起したか否かを認識する（すなわち、「一次コマンド」に含まれた「特別図柄」の内容が、「３」あるいは「７」と様々な色の丸のマークとの組み合わせであるときは、「非特定大当たり」が生起したと認識し、「一次コマンド」に含まれた「特別図柄」の内容が、「３」あるいは「７」と「赤丸」あるいは「青丸」との組み合わせであるときは、「特定大当たり」が生起したと認識し、「一次コマンド」に含まれた「特別図柄」の内容が、「３」および「７」以外の数字の図柄と様々な色の丸のマークとの組み合わせであるときは、「はずれ」となったと認識する）。また、「一次コマンド」を受信すると同時に、詳細変動態様決定カウンタであるｍカウンタが、ループカウントしている数値の中から１つの数値を取得する（乱数を取得する）。そして、その取得数値に対応した「詳細な変動態様」（「第１〜第５詳細変動パターン」のいずれか、図１２参照）が、記憶手段のＲＯＭ４８内から呼び出される。また、装飾図柄決定カウンタであるｊ，ｋ，ｌカウンタが、それぞれ、ループカウントしている数値の中から１つの数値を取得する（乱数を取得する）。そして、それらの取得数値に対応した「装飾図柄」（図１１参照）が、記憶手段のＲＯＭ４８内のＡテーブルあるいはＢテーブルから呼び出される（なお、いずれのテーブルから「装飾図柄」を呼び出すかについては後述する）。しかる後に、ＲＯＭ４８から呼び出された「詳細な変動態様」、「装飾図柄」の内容、および「一次コマンド」に含まれた「基本的な変動態様」、「特別図柄」の内容を含めた「図柄表示コマンド」が、サブ統合基板４３から図柄制御基板２２へ送信される。
【００３６】
なお、サブ統合基板４３においては、「一次コマンド」に含まれた「特別図柄」の内容によって、「非特定大当たり」あるいは「特定大当たり」が生起したと認識した場合には、ｊカウンタのみが、ループカウントしている数値の中から１つの数値を取得する（乱数を取得し）。そして、その取得数値に対応した「装飾図柄」（図１１参照）が、記憶手段のＲＯＭ４８内のＡテーブルあるいはＢテーブルから呼び出され、その呼び出された「装飾図柄」の内容を含む「図柄表示コマンド」が、サブ統合基板４３から図柄制御基板２２へ送信される。
【００３７】
一方、ＲＯＭ４８から呼び出された「詳細な変動態様」の内容および「一次コマンド」に含まれた「基本的な変動態様」の内容を含めた「効果音発生コマンド」が、サブ統合基板４３から効果音制御基板２４へ送信される。さらに、ＲＯＭ４８から呼び出された「詳細な変動態様」の内容および「一次コマンド」に含まれた「基本的な変動態様」の内容を含めた「電飾発光コマンド」が、サブ統合基板４３から発光制御基板２３へ送信される。
【００３８】
図柄制御基板２２は、「図柄表示コマンド」を受信すると、その「図柄表示コマンド」に含まれた「特別図柄」の内容によって、「非特定大当たり」あるいは「特定大当たり」が生起したか否かを認識する。そして、「非特定大当たり」あるいは「特定大当たり」が生起したと判断した場合は、送信された「図柄表示コマンド」に含まれた「基本的な変動態様」および「詳細な変動態様」にしたがって、各表示部位１０〜１２に表示されている「装飾図柄」を、所定の時間（たとえば、２４秒）だけ変動させる。なお、「装飾図柄」の変動は、各表示部位１０〜１２において、「一桁の数字や一文字のアルファベット等が上から下へスクロールして別の数字やアルファベット等に切り替わる動画」を表示すること等によって行われる。
【００３９】
しかる後に、図柄表示装置８の各表示部位１０〜１２に、サブ統合基板４３で決定されたｊカウンタの取得数値に対応した「装飾図柄」を表示する（確定表示する）。したがって、各表示部位１０〜１２には、同一な図柄の組み合わせである「大当たり装飾図柄」（たとえば、「１，１，１」）が表示される。
【００４０】
また、図柄制御基板２２は、「図柄表示コマンド」を受信すると、送信された「図柄表示コマンド」に含まれた「基本的な変動態様」にしたがって、図柄表示装置８の左右の下方に表示されている「特別図柄」を変動させた後に、図柄表示装置８の左右の下方に、「図柄表示コマンド」に含まれた「特別図柄」を表示する（確定表示する）。したがって、「抽選」の結果、「非特定大当たり」が生起した場合には、「３」あるいは「７」と様々な色の丸のマークとの組み合わせ（以下、「非特定大当たり特別図柄」という）が、図柄表示装置８の左右の下方に表示され、「特定大当たり」が生起した場合には、「３」あるいは「７」と「赤丸」あるいは「青丸」との組み合わせ（以下、「特定大当たり特別図柄」という）が、図柄表示装置８の左右の下方に表示され、「はずれ」となった場合には、「３」および「７」以外の数字の図柄と様々な色の丸のマークとの組み合わせが、図柄表示装置８の左右の下方に表示される。なお、「特別図柄」の変動は、図柄表示装置８の左右の下方において、「特別図柄が一定の順序で次々に入れ替わる動画」を表示すること等によって行われる。また、「特別図柄」の変動中、あるいは後述する「大当たり状態」中に遊技球が普通電動役物１３に入賞したときは、後に「特別図柄」を変動させる「始動記憶」として所定の個数（たとえば、４個）まで記憶され、その個数だけメモリーランプ１８，１８・・が点灯する。加えて、「装飾図柄」および「特別図柄」は、「図柄表示コマンド」の「基本的な変動態様」に含まれた「図柄変動を継続する時間」だけ変動するため、同時に変動を開始して、同時に変動を終了する。
【００４１】
一方、発光制御基板２３は、「電飾発光コマンド」を受信すると、送信された「電飾発光コマンド」に含まれた「基本的な変動態様」および「詳細な変動態様」にしたがって、電飾ランプ２０，２０・・およびサイドランプ１９，１９等を発光させる。
【００４２】
また、効果音制御基板２４は、「効果音発生コマンド」を受信すると、送信された「効果音発生コマンド」に含まれた「基本的な変動態様」および「詳細な変動態様」にしたがって、スピーカ５から効果音を発生させる。
【００４３】
そして、図柄表示装置の各表示部位１０〜１２に「大当たり特別図柄」および「大当たり装飾図柄」が確定表示された場合には、遊技者にとって有利な「特別遊技状態」である「大当たり状態」が生起し、大入賞口７が、所定時間（たとえば、約２５秒）経過するまで、あるいは所定個数（たとえば、９個）の遊技球の入賞を検出するまで開成する。そして、大入賞口７内の特定領域（図示せず）に遊技球が入賞することを条件として、大入賞口７が、所定時間経過するまで、あるいは所定個数の遊技球の入賞を検出するまでの開成を、所定回数だけ断続的に繰り返す。したがって、「大当たり状態」が生起した場合には、遊技者は、非常に高い確率で、短期間の間に多くの賞品球を獲得することができる。
【００４４】
なお、メイン制御基板２１の「抽選」で「はずれ」となった場合であって、「一次コマンド」を受信したサブ統合基板４３においてｊ，ｋ，ｌカウンタが偶発的に同一の乱数を取得した場合には、ｌカウンタの取得した数値に“１”が加算され、その加算した数値に対応した「装飾図柄」（図１１参照）が、ＲＯＭ４８から呼び出され、呼び出された「装飾図柄」を図柄表示装置８の中表示部位１２に確定表示させる旨の「図柄表示コマンド」が、サブ統合基板基板２１から図柄制御基板２２に送信される。したがって、「抽選」の結果、「はずれ」となった場合には、各表示部位１０〜１２に、少なくとも１つが異なる３つの「装飾図柄」の組合せ（たとえば、「１，２，３」）が確定表示される。
【００４５】
また、「抽選」の結果、「特定大当たり」が生起し、図柄表示装置８の左右の下方に、「特定大当たり特別図柄」が表示された場合には、「大当たり状態」終了後に、「第一特定遊技状態」である「高確率状態」が生起する。
【００４６】
「高確率状態」においては、「普通図柄」の「当たり判定」において、ａカウンタによって取得された乱数が所定の９７通りの数値（たとえば、“３”〜“９９”）であると判断された場合に、「当たり」となる。このため、「当たり」の生起確率は９７／１００に増大する。したがって、普通電動役物１３が頻繁に開成し、遊技球が高い頻度で普通電動役物１３に入賞するようになる。それゆえ、「特別図柄」および「装飾図柄」の変動回数も増大する。さらに、「高確率状態」においては、「抽選」時に、ｃカウンタが所定の１５通りの数値を取得した場合に、「大当たり」と判定される。このため、「大当たり」の生起確率は１５／７０１に増大する。加えて、「高確率状態」時には、「特別図柄」および「装飾図柄」の変動時間の平均値が短くなり、単位時間当たりの「特別図柄」および「装飾図柄」の変動回数も増大する。したがって、「高確率状態」の生起中、遊技者は、多くの賞品球を獲得することができ、ほとんど遊技球を消費しない上、短期間のうちにきわめて高い確率で、再度、「大当たり」を生起させ得る。なお、パチンコ機１は、電源投入時点では、「低確率状態」となるように設定されている。また、「高確率状態」中に「非特定大当たり」が生起し「大当たり状態」が生起した場合には、その「高確率状態」が終了する。
【００４７】
また、「特定大当たり」が生起したか「非特定大当たり」が生起したかに拘わらず、「大当たり状態」が生起して、その「大当たり状態」が終了した後には、所定の回数（ここでは、１００回）だけ「特別図柄」および「装飾図柄」が変動するまで「普通図柄」、「特別図柄」および「装飾図柄」の変動時間を短縮する「第二特定遊技状態」である「変動短縮状態」が生起するようになっている。
【００４８】
「変動短縮状態」においては、「普通図柄」の変動時間が短縮されるため、単位時間当たりに普通電動役物１３が頻繁に開成し、遊技球が高い頻度で普通電動役物１３に入賞するようになる。それゆえ、「特別図柄」および「装飾図柄」の変動回数が増大する。さらに、「変動短縮状態」においては、「特別図柄」および「装飾図柄」の変動時間の平均値が短くなり、単位時間当たりの「特別図柄」および「装飾図柄」の変動回数も増大する。したがって、「高確率状態」の生起中、遊技者は、単位時間中に多くの賞品球を獲得することができ、ほとんど遊技球を消費することなく遊技を継続させることができる。なお、メイン制御基板２１においては、「特別図柄」が変動する毎に、ｉカウンタの数値が“１”ずつ加算され、ｉカウンタの数値が“１００”となった時点で、「変動短縮状態」が終了する。
【００４９】
（４）実施例のパチンコ機の特徴部分の説明
また、パチンコ機１は、サブ統合基板４３に設置されたディップスイッチ４４が操作された場合には、「特定大当たり」生起時における「大当たり装飾図柄」の表示方式を変更することができるようになっている。
【００５０】
ディップスイッチ４４は、図２の如く、後方に突出したレバーの操作によって、「特定大当たり」生起時における「大当たり装飾図柄」の表示方式を、“モード１”あるいは“モード２”に切り替えることができるようになっている（なお、ディップスイッチ４４は、パチンコ機１の背面に設置されているため、遊技者からは、ディップスイッチ４４が“モード１”に設定されているのか、“モード２”に設定されているのかを認識することができない）。
【００５１】
そして、ディップスイッチ４４が“モード１”に設定されている場合には、「抽選」において「特定大当たり」が生起した場合に、「一次コマンド」が送信された時点で、サブ統合基板４３において、ｊカウンタが、ＲＯＭ４８内の「Ｂテーブル」から「装飾図柄」を選択する。そして、選択された「装飾図柄」を図柄表示装置８の各表示部位１０〜１２に確定表示させる旨の「図柄表示コマンド」が、サブ統合基板基板４３から図柄制御基板２２に送信される。したがって、ディップスイッチ４４が“モード１”にされている場合には、「特定大当たり」が生起した場合に、各表示部位１０〜１２に、「３，３，３」、「５，５，５」あるいは「７，７，７」の内のいずれか（以下、「特定大当たり装飾図柄」という）が確定表示される。
【００５２】
上記の如く、図柄表示装置８の各表示部位１０〜１２に、「特定大当たり装飾図柄」が表示された場合には、その時点で、遊技者は、「抽選」において「特定大当たり」が生起したことを認識することができる。
【００５３】
加えて、ディップスイッチ４４が“モード１”に設定されている場合に、「抽選」において「特定大当たり」が生起した場合には、「大当たり状態」が終了した後の「変動短縮状態」において、時短表示器５１が“１００−ｉカウンタの数値”を表示する。したがって、「変動短縮状態」となった時点においては、時短表示器５１に“１００”の数値が表示され、「特別図柄」および「装飾図柄」が変動する毎に、時短表示器５１の表示数値が“１”ずつ減少し、時短表示器５１の表示数値が“０”となった時点で、時短表示器５１の数値表示が消灯状態となり、「変動短縮状態」が終了する。それゆえ、時短表示器５１の数値が“０”となった後でも、「普通図柄」、「特別図柄」および「装飾図柄」の変動時間が短縮されていれば、遊技者は、その時点で、生起した「大当たり」が「特定大当たり」であったことを認識することができる。
【００５４】
一方、ディップスイッチ４４が“モード２”に設定されている場合には、「抽選」において「特定大当たり」が生起した場合に、「一次コマンド」が送信された時点で、サブ統合基板４３において、ｊカウンタが、ＲＯＭ４８内の「Ａテーブル」から「装飾図柄」を選択する。そして、選択された「装飾図柄」を図柄表示装置８の各表示部位１０〜１２に確定表示させる旨の「図柄表示コマンド」が、サブ統合基板基板４３から図柄制御基板２２に送信される。したがって、ディップスイッチ４４が“モード２”にされている場合には、「特定大当たり」が生起した場合に、各表示部位１０〜１２に、「特定大当たり装飾図柄」あるいは「０，０，０」、「１，１，１」、「２，２，２」、「４，４，４」、「６，６，６」、「８，８，８」、「９，９，９，」、「Ａ，Ａ，Ａ」、「Ｂ，Ｂ，Ｂ」、「Ｃ，Ｃ，Ｃ」、「Ｄ，Ｄ，Ｄ」、「Ｅ，Ｅ，Ｅ」の内のいずれか（以下、「非特定大当たり装飾図柄」という）が確定表示される。
【００５５】
上記の如く、ディップスイッチ４４が“モード２”に設定されており、「特定大当たり」生起後に、図柄表示装置８の各表示部位１０〜１２に、「非特定大当たり装飾図柄」が表示された場合には、その時点においては、遊技者は、「抽選」において「特定大当たり」が生起したことを認識することができない（なお、「特定大当たり」生起時に表示される「特定大当たり特別図柄」は、「特定大当たり装飾図柄」に比べて非常に小さく表示されるため、遊技者が、高度な注意力を払って「特別図柄」を見ていない限り、「特定大当たり」が生起したことを認識することができない）。また、上記の如く、「特定大当たり」生起後に「非特定大当たり装飾図柄」が表示されることがあり得るため、「非特定大当たり」生起後に、図柄表示装置８の各表示部位１０〜１２に、「非特定大当たり装飾図柄」が表示された場合にも、その時点においては、遊技者は、「抽選」において「非特定大当たり」が生起したことを認識することができない。加えて、「特定大当たり」が生起した場合でも「非特定大当たり」が生起した場合でも、「特別図柄」が１００回変動するまで「変動短縮状態」が生起するため、その「変動短縮状態」中に、再度、「大当たり」が生起した場合には、生起した「大当たり」が「特定大当たり」であったのか、「非特定大当たり」であったのかを判断することができない。
【００５６】
加えて、ディップスイッチ４４が“モード２”にされている場合に、「抽選」において「特定大当たり」が生起した場合には、「大当たり状態」が終了した後の「変動短縮状態」において、時短表示器５１が“ｉカウンタの数値”を表示する。したがって、「変動短縮状態」となった時点においては、時短表示器５１に“０”の数値が表示され、「特別図柄」および「装飾図柄」が変動する毎に、時短表示器５１の表示数値が“１”ずつ増加し、時短表示器５１の表示数値が“１００”となった時点で、「変動短縮状態」が終了するが、時短表示器５１の数値表示は継続される。それゆえ、遊技者が、時短表示器５１の表示数値が“１００”となった時点で「変動短縮状態」が終了することを予め知っている場合には、時短表示器５１の数値が“１００”となった後に「普通図柄」、「特別図柄」および「装飾図柄」の変動時間が短縮されていれば、生起した「大当たり」が「特定大当たり」であったことを認識することができる。しかしながら、遊技者が、時短表示器５１の表示数値が“１００”となった時点で「変動短縮状態」が終了することを予め知っていなければ、時短表示器５１の数値が“１００”となった時点でも、生起した「大当たり」が「特定大当たり」であったことを認識することができない。
【００５７】
（５）実施例のパチンコ機の効果
パチンコ機１は、上記の如く、図柄表示装置８による「大当たり装飾図柄」の表示方式を、「特定大当たり」が生起した場合に予め定められた「特定大当たり装飾図柄」のみを表示する第一表示方式（“モード１”）と、「特定大当たり」が生起した場合に「特定大当たり装飾図柄」あるいは「非特定大当たり装飾図柄」を表示する第二表示方式（“モード２”）とに切り替えるディップスイッチ４４（切替手段）を設けたものである。したがって、ディップスイッチ４４によって「装飾図柄」の表示方式を第二表示方式としたことにより、「特定大当たり」が生起した場合に、「非特定大当たり装飾図柄」が表示された場合には、遊技者は、「大当たり装飾図柄」が確定表示された時点では、「特定大当たり」が生起したのか「非特定大当たり」が生起したのか分からないものの、短時間の内に、高い確率で、再度、「大当たり」が生起する。それゆえ、パチンコ機１は、遊技内容が斬新、かつ、スリリングであり、長期間に亘って、遊技者の遊技意欲を高く保持することができる。一方、ディップスイッチ４４により「装飾図柄」の表示方式を第一表示方式に設定すれば、「特定大当たり」が生起した場合には、常に「特定大当たり装飾図柄」が表示され、その時点で、直ちに、「特定大当たり」が生起したのか「非特定大当たり」が生起したのかを認識することができるようになる。すなわち、パチンコ機１によれば、ディップスイッチ４４により「装飾図柄」の表示方式を切り替えるだけで、趣向性の全く異なる遊技をすることができる。
【００５８】
また、パチンコ機１は、「抽選」の結果、「大当たり」が生起した場合に、所定の回数だけ「特別図柄」および「装飾図柄」が変動するまで図柄表示装置８における「特別図柄」および「装飾図柄」の変動時間を短縮する「変動短縮状態」（第二特定遊技状態）を生起させるものである。したがって、「大当たり状態」終了後に生起した状態が「高確率状態」であるのか「変動短縮状態」であるのかを報知しない限り、「変動短縮状態」中に、再度、「大当たり」が生起した場合には、前回の「大当たり」が「特定大当たり」であったのか、「非特定大当たり」であったのかを判断することができない。それゆえ、パチンコ機１は、遊技内容がきわめて趣向性に富んでおり、非常に長期間に亘って、遊技者の遊技意欲を高く保持することができる。
【００５９】
さらに、パチンコ機１は、「抽選」の結果、「非特定大当たり」が生起した場合にのみ、「変動短縮状態」（第二特定遊技状態）を生起させるため、「特定大当たり」が生起した場合には、速やかに「高確率状態」（第一特定遊技状態）が生起し、高い確率で、再度、「大当たり」が生起するので、「特定大当たり」が生起したにも拘わらず長時間に亘って次回の「大当たり」が生起せず、遊技者がいやな思いをする、という事態が起こりにくい。
【００６０】
加えて、パチンコ機１は、図柄表示装置８の作動を制御する図柄制御基板２２と作動制御基板（発光制御基板２３、効果音制御基板２４）とを統合して制御するサブ統合基板４３が設けられているとともに、そのサブ統合基板４３にディップスイッチ４４が設けられているため、ディップスイッチ４４による「装飾図柄」の表示方式の切替を、エラーを発生させることなく確実に実行することができる。
【００６１】
（６）本発明の変更例の説明
なお、本発明の遊技機の構成は、上記実施形態の態様に何ら限定されるものではなく、図柄始動口、図柄表示装置、作動制御装置、切替手段、図柄制御基板、作動制御基板、統合基板、入賞装置等の形状・構造等の構成を、本発明の趣旨を逸脱しない範囲で適宜変更することができる。
【００６２】
たとえば、本発明の遊技機は、サブ統合基板によって図柄制御基板、発光制御基板、効果音制御基板を統合するものに限定されず、メイン制御装置から図柄制御基板、発光制御基板、効果音制御基板へ直接的にコマンドを送信するもの等でも良い。また、本発明の遊技機は、ディップスイッチ（切替手段）をサブ統合基板に設置したものに限定されず、メイン基板や図柄表示基板等の他の基板にディップスイッチを設けたものでも良い。
【００６３】
さらに、ディップスイッチは、「装飾図柄」の表示方式を２種類の方式に切り替えるものに限定されず、３種類以上の方式に切り替えるものでも良い。加えて、「装飾図柄」の表示方式を切り替える方法は、上記実施形態の如く、所定のカウンタが選択した数値に対応した「装飾図柄」を記憶手段の異なるテーブルから呼び出す方法に限定されず、他の方法に変更することも可能である。なお、「装飾図柄」の表示方式を切り替える方法として、所定のカウンタが選択した数値に対応した「装飾図柄」を記憶手段の異なるテーブルから呼び出す方法を採用した場合には、「装飾図柄」の表示方式の切替を、エラーを発生させることなく確実に実行することができる、というメリットがある。また、遊技機は、上記実施形態の如く、所定のカウンタが選択した数値に対応した「装飾図柄」を２つの異なるテーブルから呼び出すことにより「装飾図柄」の表示方式を切り替えるものに限定されず、所定のカウンタが選択した数値に対応した「装飾図柄」を３つ以上の異なるテーブルから呼び出すことにより「装飾図柄」の表示方式を切り替えるものに変更することも可能である。
【００６４】
また、統合基板は、上記実施形態の如く、図柄制御基板と発光制御基板と効果音制御基板とを統合して制御するものに限定されず、発光制御基板あるいは効果音制御基板と図柄制御基板とを統合して制御するものや、発光制御基板や効果音制御基板以外の基板と図柄制御基板とを統合して制御するもの等に変更することも可能である。
【００６５】
一方、遊技機は、「非特定大当たり」が生起した場合および「特定大当たり」が生起した場合のいずれの場合にも「変動短縮状態」を生起させるものに限定されず、「特定大当たり」が生起した場合には「大当たり状態」が終了した後に「変動短縮状態」を生起させることなく直ちに「高確率状態」を生起させるもの等でも良い。また、遊技機は、上記実施形態の如く、「変動短縮状態」が生起した時点で、時短表示器がカウントアップ表示（「特別図柄」や「装飾図柄」が変動を実行する毎に数値を加算する表示）やカウントダウン表示（「特別図柄」や「装飾図柄」が変動を実行する毎に数値を減算する表示）を行うものに限定されず、時短表示器がないものでも良い。
【００６６】
また、遊技機は、上記実施形態の如く、「特定大当たり」が生起した場合に再度「大当たり」が生起するまで「高確率状態」を継続させるものに限定されず、「特定大当たり」が生起した場合に所定の回数だけ「特別図柄」や「装飾図柄」が変動するまで「高確率状態」を継続させるもの等に変更することも可能である。
【００６７】
さらに、遊技機は、上記実施形態の如く、所定の回数だけ「装飾図柄」や「特別図柄」が変動するまで「普通図柄」、「特別図柄」および「装飾図柄」の変動時間を短縮する「変動短縮状態」を生起させるものに限定されず、所定の時間が経過するまで「普通図柄」および／または「特別図柄」および／または「装飾図柄」の変動時間を短縮する「変動短縮状態」を生起させるもの等でも良い。
【００６８】
なお、本発明の遊技機は、上記実施形態の如き第１種のパチンコ機ばかりでなく、第３種のパチンコ機やスロットマシーン等の他の遊技機として応用することも可能である。
【００６９】
【発明の効果】
請求項１に記載された遊技機は、図柄表示装置による「大当たり装飾図柄」の表示方式を、特定の大当たりが生起した場合に予め定められた特定の「大当たり装飾図柄」のみを表示する第一表示方式と、特定の大当たりが生起した場合に特定の「大当たり装飾図柄」あるいは非特定の「大当たり装飾図柄」を表示する第二表示方式とに切り替える切替手段を設けたものである。したがって、切替手段により「装飾図柄」の表示方式を第二表示方式としたことにより、「特定大当たり」が生起した場合に、非特定の「大当たり装飾図柄」が表示された場合には、遊技者は、「大当たり装飾図柄」が表示された時点では、「特定大当たり」が生起したのか「非特定大当たり」が生起したのか分からないものの、短時間の内に、高い確率で、再度、「大当たり」が生起する。それゆえ、請求項１に記載された遊技機は、遊技内容が斬新、かつ、スリリングであり、長期間に亘って、遊技者の遊技意欲を高く保持することができる。一方、切替手段により「装飾図柄」の表示方式を第一表示方式に設定すれば、「特定大当たり」が生起した場合には、常に「特定大当たり装飾図柄」が表示され、その時点で、直ちに、「特定大当たり」が生起したのか「非特定大当たり」が生起したのかを認識することができるようになる。すなわち、請求項１に記載された遊技機によれば、切替手段により「装飾図柄」の表示方式を切り替えるだけで、趣向性の全く異なる遊技をすることができる。
【００７０】
請求項２に記載された遊技機は、抽選の結果、「大当たり」が生起した場合に、所定の回数だけ「特別図柄」が変動するまで図柄表示装置における「装飾図柄」の変動時間を短縮する「第二特定遊技状態」を生起させるものである。したがって、「大当たり状態」の終了後に生起した状態が「第一特定遊技状態」であるのか「第二特定遊技状態」であるのかを報知しない限り、「第二特定遊技状態」中に、再度、「大当たり」が生起した場合には、前回の「大当たり」が「特定大当たり」であったのか、「非特定大当たり」であったのかを判断することができない。それゆえ、パチンコ機１は、遊技内容がきわめて趣向性に富んでおり、非常に長期間に亘って、遊技者の遊技意欲を高く保持することができる。
【００７１】
請求項３に記載された遊技機は、抽選の結果、特定の「大当たり」以外の「大当たり」が生起した場合にのみ、「第二特定遊技状態」を生起させるため、「特定大当たり」が生起した場合には、速やかに「第一特定遊技状態」が生起し、高い確率で、再度、「大当たり」が生起するので、「特定大当たり」が生起したにも拘わらず長時間に亘って次回の「大当たり」が生起せず、遊技者がいやな思いをする、という事態が起こりにくい。
【００７２】
請求項４に記載された遊技機は、図柄表示装置の作動を制御する図柄制御基板と作動制御基板とを統合して制御する統合基板が設けられているとともに、その統合基板に切替手段が設けられているため、切替手段による「装飾図柄」の表示方式の切替を、エラーを発生させることなく確実に実行することができる。
【図面の簡単な説明】
【図１】パチンコ機の正面図である。
【図２】パチンコ機の背面図である。
【図３】パチンコ機の制御機構を示すブロック図である。
【図４】メイン制御基板に内蔵されたカウンタを示す表である。
【図５】ｂカウンタの数値に対応した「はずれ図柄」を示す表である。
【図６】ｅ，ｆカウンタの数値に対応した「特別図柄」を示す表である。
【図７】ｐ，ｑカウンタの数値に対応した「特別図柄」を示す表である。
【図８】ｒ，ｓカウンタの数値に対応した「特別図柄」を示す表である。
【図９】ｇカウンタの数値に対応した「基本的な変動態様」を示す表である。
【図１０】サブ統合基板に内蔵されたカウンタを示す表である。
【図１１】ｊ，ｋ，ｌカウンタの数値に対応した「装飾図柄」を示す表である。
【図１２】ｍカウンタの数値に対応した「詳細な変動態様」を示す表である。
【符号の説明】
１・・パチンコ機、２・・遊技領域、８・・図柄表示装置、１３・・普通電動役物（図柄始動口）、１６・・大入賞口（入賞装置）、２１・・メイン制御基板（作動制御装置）、２２・・図柄制御装置、２３・・発光制御装置（作動制御基板）、２４・・効果音制御装置（作動制御基板）、４３・・サブ統合基板（統合基板）、４４・・ディップスイッチ（切替手段）。
【図１】
2004313329.tif 000003
【図２】
2004313329.tif 000004
【図３】
2004313329.tif 000005
【図４】
2004313329.tif 000006
【図５】
2004313329.tif 000007
【図６】
2004313329.tif 000008
【図７】
2004313329.tif 000009
【図８】
2004313329.tif 000010
【図９】
2004313329.tif 000011
【図１０】
2004313329.tif 000012
【図１１】
2004313329.tif 000013
【図１２】
2004313329.tif 000014